(57)【要約】      （修正有）【課題】合成糸のテクスチャリング加工において、熱処理された糸を強力に冷却する装置の提供。【解決手段】開放された冷却溝２を有する縦長の冷却体１を糸の案内のために備えている、合成糸用の冷却装置、特にテクスチャリング加工ゾーン内の撚糸用の冷却装置であって、冷却溝２は、調量開口５を介して、冷却液を供給するための調量装置６に接続されている。冷却体１は、糸走入部７において少なくとも１つのセラミック挿入体３．１を有しており、このセラミック挿入体３．１は、波形溝を付けられた溝底部４．１を冷却溝内に形成し、このセラミック挿入体３．１の表面において、糸は接触しながら案内可能であり、このとき調量開口５は、セラミック挿入体３．１に対応配置されている。そうすることによって、冷却液を比較的長い区間にわたって糸に連続的に供給することが可能である。【選択図】図１
2018080435.tif 000002
【特許請求の範囲】
【請求項１】
合成糸用の冷却装置、特にテクスチャリング加工ゾーン内の撚糸用の冷却装置であって、
縦長の冷却体（１）を備えていて、該冷却体（１）は、前記糸を案内するために、開放された冷却溝（２）を有しており、このとき該冷却溝（２）は、溝底部（４.１，４.２）における調量開口（５）を介して、冷却液を供給するための調量装置（６）に接続されている、冷却装置において、
前記冷却体（１）は、糸走入部（７）において少なくとも１つのセラミック挿入体（３．１）を有しており、該セラミック挿入体（３．１）は、波形溝を付けられた溝底部（４．１）を前記冷却溝（２）内に形成し、前記セラミック挿入体（３．１）の表面において、前記糸は接触しながら案内可能であり、このとき前記調量開口（５）は、前記セラミック挿入体（３．１）に対応配置されていることを特徴とする、合成糸用の冷却装置。
【請求項２】
前記調量開口（５）は、前記セラミック挿入体における、前記波形溝を付けられた溝底部（４．１）に前置されていて、前記冷却溝（２）の前記溝底部（４．１）の走入ゾーン（７．１）に開口している、請求項１記載の冷却装置。
【請求項３】
前記冷却体（１）は、前記冷却溝（２）の糸走出部（８）において、前記波形溝を付けられた溝底部（４．１）を有する少なくとも１つの別のセラミック挿入体（３．２）を有し、このとき前記冷却溝（２）は、前記両方のセラミック挿入体（３．１，３．２）の間に、平滑な溝底部（４．２）を有する少なくとも１つの案内部分を有している、請求項１または２記載の冷却装置。
【請求項４】
前記平滑な溝底部（４．２）を有する前記案内部分は、前記波形溝を付けられた溝底部（４．１）を有する前記セラミック挿入体（３．１，３．２）より大きな溝深さを備えている、請求項３記載の冷却装置。
【請求項５】
前記セラミック挿入体（３．１，３．２）は、１０ｍｍ〜６０ｍｍの範囲にある、前記冷却溝（２）の長さ部分をそれぞれ形成している、請求項１から４までのいずれか１項記載の冷却装置。
【請求項６】
前記セラミック挿入体（３．１，３．２）は、前記溝底部（４．１）が、糸走行方向に沿って３００ｍｍ〜１０００ｍｍの範囲の半径（Ｒ）を有する案内曲率を備えるように、前記冷却体（１）において互いに配置されている、請求項１から５までのいずれか１項記載の冷却装置。
【請求項７】
前記冷却体（１）は、前記冷却溝（２）を形成するために、前記複数のセラミック挿入体（３．１，３．２）および複数の材料挿入体（１１．１〜１１．３）を有しており、該セラミック挿入体（３．１，３．２）および該材料挿入体（１１．１〜１１．３）は、前記冷却溝（２）の少なくとも１つの溝底部をそれぞれ形成し、かつ交互に１つの支持体（１２）に保持されていて、このとき前記材料挿入体（１１．１〜１１．３）は、前記平滑な溝底部（４．２）を有する前記案内部分をそれぞれ形成している、請求項１から６までのいずれか１項記載の冷却装置。
【請求項８】
前記材料挿入体（１１．１〜１１．３）と前記支持体（１２）とは、一体に形成されている、請求項７記載の冷却装置。
【請求項９】
前記冷却体（１）は、ハウジング（１３）の内部において糸入口（１４）と糸出口（１５）との間に配置されていて、前記糸出口（１５）の領域において前記ハウジング（１３）に、吸込み開口（１７）が形成されており、該吸込み開口（１７）は、吸込み装置に接続可能である、請求項１から８までのいずれか１項記載の冷却装置。
【請求項１０】
前記吸込み開口（１７）は、ハウジング底部（１６）において前記冷却体（１）と前記糸出口（１５）との間に形成されている、請求項９記載の冷却装置。
【請求項１１】
前記ハウジング（１３）の前記糸入口（１４）に、入口糸ガイド（１４．１）が対応配置されていて、前記ハウジング（１３）の前記糸出口（１５）に、出口糸ガイド（１５．１）が対応配置されている、請求項９または１１記載の冷却装置。
【発明の詳細な説明】
【技術分野】
【０００１】
本発明は、合成糸用の冷却装置、特に請求項１の上位概念に記載のテクスチャリング加工ゾーン内の撚糸用の冷却装置に関する。
【０００２】
合成糸の製造の際には、溶融紡糸プロセスで製造されたマルチフィラメント糸が、紡績のための後置のプロセスにおいて巻縮されることが公知である。それによって合成糸は、天然繊維と同様の構造を得る。合成糸のさらなる処理は、複数のテクスチャリング加工機によって行われ、これらのテクスチャリング加工機は、各処理ユニットにおいてそれぞれ糸を巻縮するために、多数の加工ユニットを有している。糸の巻縮（いわゆるテクスチャリング加工とも呼ばれる）は、いわゆる仮撚り処理によって達成させることができる。このとき糸に、いわゆるテクスチャリング加工ゾーン内で熱処理される機械的な仮撚りが掛けられる。熱処理のために、撚糸は、約２００℃の温度に加熱され、それに続いて再び冷却される。糸に掛けられた仮撚りは、糸走行方向と逆方向に伝播するので、糸に掛けられた撚りは、可能な限り妨げられることなく冷却装置を通過して加熱装置に入り込めるように保証されていなければならない。そのために、湾曲した冷却レールとして形成された冷却装置が通常使用される。このとき可能な限り大きな曲率半径を冷却レールに使用するので、撚糸と冷却レールの表面との間の接触摩擦を小さく保つことができる。このような冷却レールは、糸を冷却するために周囲空気のみを使用する。したがって、このような冷却装置は、比較的長い冷却区間を必要とし、この比較的長い冷却区間がゆえに、通常、テクスチャリング加工機は、多階層構造となる。
【０００３】
従来技術では、糸の冷却が冷却液によって強化される冷却装置も公知である。このような形式の冷却装置は、例えば欧州特許出願公開第０４０３０９８号明細書（EP 0 403 098 A2）から公知である。このような冷却装置の場合、テクスチャリング加工ゾーン内の撚糸は、冷却体の表面に設けられた冷却溝を通って案内され、この冷却溝は、溝底部において、糸を湿潤させるための冷却液を保持している。糸の湿潤が、糸と接触レールとの間の糸の摩擦特性に有利に働くので、撚りの伝達が促進される。しかしながら、撚りが掛けられた糸構造ゆえに、冷却液の糸内部への浸透が困難である。仮撚りによって、固有のダイナミクスが生じて、糸によってただ連行されて冷却溝から出る際には飛び散る冷却液は、糸内部での付着が困難になる。特に比較的大きい番手の糸の場合は、その内部での冷却が十分なされないので、公知の冷却装置において、糸は、さらなる冷却のために引き続き冷却レールを介して案内される。
【０００４】
したがって本発明の課題は、このような形式の冷却装置を改良して、糸の可能な限り強力な冷却を冷却流体の塗布によって達成させることである。
【０００５】
本発明のさらなる別の目的は、残留冷却液の余剰分が可能な限りわずかであるように糸を湿潤させることである。
【０００６】
このような課題は、本発明によれば、冷却体が、糸走入部において少なくとも１つのセラミック挿入体を有しており、このセラミック挿入体は、波形溝を付けられた溝底部を冷却溝内に形成し、このセラミック挿入体の、波形溝を付けられた表面において、糸は接触しながら案内可能であり、このとき調量開口が、セラミック挿入体に対応配置されていることによって達成される。
【０００７】
有利な発展形態は、それぞれの従属請求項の特徴および特徴の組合せによって定義されている。
【０００８】
本発明は、冷却液が、直接糸によって連行されることなく、冷却溝内で湿潤ゾーンを介して分配されている、という特別な利点を有している。このとき糸は、波形溝を付けられた溝底部を冷却溝内で形成するセラミック挿入体において、接触しながら案内される。このように糸を、強力な接触にもかかわらず糸における摩擦を制限しかつ撚りの妨げにならない複数の支持ユニットを介して案内することができる。冷却液が充填されている溝底部の溝によって、特に初期段階で発生する、糸における液体の著しい蒸発は阻止され、常時新たに糸に液体が塗布される。
【０００９】
このとき冷却液の供給は、波形溝を付けられた溝底部に前置された、溝底部の走入ゾーンで行われることが好ましい。したがって調量開口は、糸が接触しながらまたは好ましくは接触せずに通り抜ける走入ゾーンに開口している。それによって、冷却溝への冷却液の連続する調量供給が可能である。
【００１０】
テクスチャリング加工ゾーン内に案内された糸は、後続のテクスチャリング加工アセンブリに対応配置された冷却装置の特に糸出口において高い固有のダイナミクスを有しているので、安定した糸案内のために、本発明の発展形態が好適に実施される。この発展形態では、冷却体が、冷却溝の糸出口において、波形溝を付けられた溝底部を有する少なくとも１つの別のセラミック挿入体を備え、このとき冷却溝は、これらのセラミック挿入体の間に、平滑な溝底部を有する少なくとも１つの案内部分を備えている。したがって、許容できないような高い糸摩擦が生じることなく、糸出口においても糸が十分に接触しながら、冷却溝内で糸を案内することができる。さらに糸に発生し得る残留液体を、溝底部に留めることができる。したがって、糸が冷却溝を出た後の液体の滴下を回避することができる。
【００１１】
糸走入部におけるセラミック挿入体と糸走出部におけるセラミック挿入体との間の案内部分を冷却のために使用可能にするために、案内部分の平滑な溝底部は、波形溝を付けられた溝底部を有するセラミック挿入体より大きな溝深さを有している。したがって、糸の接触が回避され、自由に案内される糸の均一な冷却が達成される。
【００１２】
特に糸走入部において糸の番手に依存して調量して糸を湿潤させることを可能にするために、セラミック挿入体は、糸番手に応じて１０ｍｍ〜６０ｍｍの範囲にある、冷却溝の長さ部分をそれぞれ有している。例えばこのようなセラミック挿入体を、いくつか冷却溝内に互いに間隔を置いて形成してもよい。
【００１３】
セラミック挿入体の、波形溝を付けられた溝底部構造に基づいて、テクスチャリング加工ゾーン内で比較的大きな糸の変向を実現することができる。例えばセラミック挿入体は、溝底部が、糸走行方向において３００ｍｍ〜１０００ｍｍの範囲の半径を有する案内曲率を備えるように、冷却体において互いに配置されていることが好ましい。それによって、テクスチャリング加工機内における非常にコンパクトなテクスチャリング加工ゾーンを実現することができる。
【００１４】
冷却体における冷却溝の構造は、セグメント形状での実施が有利であるので、個々の冷却溝部分は、交互にセラミック挿入体または材料挿入体によって形成され、このときセラミック挿入体および材料挿入体は、共に１つの支持体に保持されている。セラミック挿入体は、糸の接触案内のために、冷却溝の案内部分を形成し、材料挿入体は、糸の非接触案内のために、平滑な溝底部を有する案内部分をそれぞれ形成している。
【００１５】
しかしながら、このとき材料挿入体と支持体とを一体に形成することも可能である。
【００１６】
蒸気が発生すること、ならびに周囲が汚れることを回避するために、本発明の発展形態によると、冷却体は、ハウジングの内部において糸入口と糸出口との間に配置されていて、糸出口の領域においてハウジングに、吸込み開口が形成されており、この吸込み開口は、吸込み装置に接続可能であることが特に好ましい。
【００１７】
蒸気だけでなく可能な限りの残留液体も排出可能にするために、吸込み開口は、ハウジング底部において冷却体と糸出口との間に形成されている。したがって、冷却体と糸出口との間を自由に案内される糸部分において案内される吸い込み流を発生させることができる。
【００１８】
テクスチャリング加工ゾーン内の糸案内は、ハウジングの糸入口に、入口糸ガイドが対応配置されていて、かつハウジングの糸出口に、出口糸ガイドが対応配置されていることによって、特に本発明の発展形態により改良させることができる。それによって、糸が冷却溝に入り込んで導出される導入出角度を、特に正確かつ再現可能に調節することができる。このとき繊維機械内の冷却装置の個別の調整は必要ない。
【００１９】
以下、添付の図面に示された複数の実施形態に基づき、合成糸用の本発明による冷却装置を詳説する。
【図面の簡単な説明】
【００２０】
【図１】冷却装置の第１の実施形態を、概略的に示した縦断面図である。
【図２】図２．１および図２．２は、図１の実施形態を、概略的に示した横断面図である。
【図３】本発明による冷却装置の別の実施形態を、概略的に示した縦断面図である。
【図４】本発明による冷却装置の別の実施形態を、概略的に示した縦断面図である。
【００２１】
図１、図２．１および図２．２は、本発明による冷却装置の第１の実施形態を、それぞれ異なった方向から見た図である。図１は、本発明による冷却装置の縦断面図を概略的に示していて、図２．１および図２．２は、本発明による冷却装置の横断面図をそれぞれ示している。したがって図面のうちの１つを明らかに参照していない場合は、以下の記載はすべての図面について云えることである。
【００２２】
本発明による冷却装置の第１の実施形態は、縦長の冷却体１から成っている。冷却体１の表面には、開放された冷却溝２が延在している。冷却溝２は、糸走入部７と糸走出部８との間を延在しており、これらの糸走入部７および糸走出部８は、冷却体１の端面部に形成されている。糸走入部７において、セラミック挿入体３．１が、冷却溝２内で冷却体１に保持されている。セラミック挿入体３．１は、冷却溝２に組み込まれていて、波形溝を付けられた（geriffelt）溝底部４．１を形成している。波形溝を付けられた溝底部４．１には、走入ゾーン７．１が前置されており、この走入ゾーン７．１は、糸走入部７を形成している。セラミック挿入体３．１の走入ゾーン７．１に、調量開口５が開口している。調量開口５は、セラミック挿入体３．１と冷却体１とを貫通する調量通路５．１を介して、調量装置６に接続されている。
【００２３】
調量装置６は、流体管路６．１と調量手段６．２と容器６．３とを有している。容器６．３内に冷却液が収容されており、この冷却液は、調量手段６．２（例えば調量ポンプ）および流体管路６．１を介して、調量通路５．１に供給される。
【００２４】
セラミック挿入体３．１は、冷却溝２内を、図１で符号Ｌが付されている長さ部分にわたって延在している。糸の番手に応じて、セラミック挿入体３．１は、１０ｍｍ〜６０ｍｍの範囲にある長さ部分を有している。
【００２５】
図１の図面から判るように、糸走出部８には、同様にセラミック挿入体３．２が対応配置されている。セラミック挿入体３．２は、冷却溝２に組み込まれていて、かつ波形溝を付けられた溝底部４．１を形成している。セラミック挿入体３．１，３．２の、波形溝を付けられた溝底部４．１は、ほぼ同一に形成されている。セラミック挿入体３．１，３．２をさらに説明するために、図２．１には、波形溝を付けられた溝底部の領域におけるセラミック挿入体３．１の横断面図が示されている。
【００２６】
図２．１から判るように、セラミック挿入体３．１は、冷却溝２を形成するために冷却体１に埋め込まれている。このとき波形溝を付けられた溝底部４．１は、凹設された複数の溝９および凸設された複数のウェブ１０によって形成されている。ウェブ１０は、好ましくは数ｍｍの幅を有している。このとき溝９およびウェブ１０は、同じ幅を有するか、または異なる幅を有していてよい。
【００２７】
ウェブ１０は、溝底部４．１を形成し、図２．１に符号ｔ１で示されている溝深さを有している。それに対して、溝９は、それより大きな溝深さを有して形成されており、この溝深さは、図２．１に符号ｔ３で示されている。
【００２８】
図１から判るように、セラミック挿入体３．１と３．２との間の中央領域の冷却溝２は、平滑な溝底部４．２を有する案内部分を備えている。このとき平滑な溝底部４．２の溝深さは、セラミック挿入体３．１，３．２における、波形溝を付けられた溝底部４．１の溝深さより大きく形成されている。平滑な溝底部４．２の溝深さは、図１および図２．２に符号ｔ２で示されている。そのようにすることによって、糸は、糸走入部７と糸走出部８でのみ、冷却溝２の、波形溝を付けられた溝底部４．１において接触しながら案内される。中央領域において、糸は、冷却溝２の平滑な溝底４．２の上側と接触せずに案内される。
【００２９】
作動時には、調量装置６を介して冷却液が冷却溝２に供給される。冷却液は、セラミック挿入体３．１の走入ゾーン７．１において、調量開口５を介して流れ込む。このとき走入ゾーン７．１は、波形溝を付けられた溝底部４．１と比較すると、同一またはより大きい溝深さを有していてよい。好ましくは、走入ゾーン７．１の溝深さが、波形溝を付けられた溝底部４．１の溝深さよりわずかに大きくなるように選択される。したがって冷却溝２へ走入する際の糸の第１の接触は、波形溝を付けられた溝底部４．１において行われる。流入する冷却液の一部は、走行する糸によって吸収され、また一部は、波形溝を付けられた溝底部４．１を介して分配される。したがってセラミック挿入体３．１の長さ部分Ｌは、走行する糸に冷却液が供給される湿潤ゾーンを形成している。
【００３０】
糸と波形溝を付けられた溝底部４．１との間の強力な接触を得るために、セラミック挿入体３．１，３．２は、糸走行方向に半径Ｒを有する案内曲線を形成している。これについては、半径Ｒが、図１に概略的に示されている。糸を案内するための案内曲率半径Ｒは、通常、３００ｍｍ〜１０００ｍｍの範囲にある。
【００３１】
そうすることによって、糸は、セラミック挿入体３．１，３．２の範囲でのみ接触しながら案内される。中央領域において、糸は、接触せずに冷却溝２内を案内され、このとき糸の周囲のすべての方向に向かって自由蒸発が可能であり、ひいては集中的な冷却が達成される。
【００３２】
冷却装置の周囲が汚れることを防止するために、冷却体１は、好ましくはハウジング内に配置されている。これについて図３には、冷却装置の別の実施形態が、概略的に縦断面図として示されている。
【００３３】
図３に示された実施形態は、複数部材から成る冷却体１を有している。冷却体１は、本実施形態では、１つの支持体１２と、複数のセラミック挿入体３．１と、複数の材料挿入体１１．１，１１．２，１１．３とによって形成されている。セラミック挿入体３．１〜３．４および材料挿入体１１．１〜１１．３は、交互に支持体１２上に保持されていて、それらの上面において開放された冷却溝２を形成している。そうすることによって、挿入体３．１〜３．４および１１．１〜１１．３は、それぞれが冷却溝２の一部分を形成している。
【００３４】
セラミック挿入体３．１は、走入ゾーン７．１と溝底部４．１における波形溝とを有する上述の実施形態と同一に形成されている。その他のセラミック挿入体３．２，３．３，３．４は、すべて波形溝を付けられた溝底部４．１を有している。
【００３５】
それに対して材料挿入体１１．１，１１．２，１１．３は、冷却溝２内に平滑な溝底部４．２を形成している。このとき平滑な溝底部４．２は、冷却溝２内の溝深さがより大きく形成されているので、糸は、波形溝を付けられた溝底部４．１においてのみ接触しながら案内されている。
【００３６】
セラミック挿入体３．１には、調量通路５．１を介して調量装置６に接続されている調量開口５が、対応配置されている。
【００３７】
冷却体１は、ハウジング１３内部において糸入口１４と糸出口１５との間を延在している。糸入口１４および糸出口１５は、それぞれハウジング１３の端面部に形成されている。本実施形態において、糸入口１４は、組み込まれた入口糸ガイド１４．１によって形成され、糸出口１５は、組み込まれた出口糸ガイド１５．１によって形成されている。入口糸ガイド１４．１および出口糸ガイド１５．１は、好ましくはセラミックによって形成され、かつガイド溝を有している。基本的に糸ガイド１４．１，１５．１は、糸入口１４および糸出口１５に依存せずに、ハウジング１３の内部に配置されていても、またはハウジング１３の外部に配置されていてもよい。
【００３８】
本実施形態において、入口糸ガイド１４．１および出口糸ガイド１５．１は、冷却溝２の糸走入部７および糸走出部８に対して短い間隔を置いて配置されている。このとき糸ガイド１４．１，１５．１のガイド溝は、糸案内のために冷却溝２内のセラミック挿入体３．１，３．４と共働する。
【００３９】
糸出口１５の領域には、吸込み開口１７が、ハウジング１３の内部でハウジング底部１６に形成されている。吸込開口１７は、冷却体１の端面部と出口糸ガイド１５．１との間に配置されている。吸込み開口１７は、吸込み管路１８を介して、ここには詳しく示されていない吸込み装置に連結されている。
【００４０】
その反対側の走入領域において、ハウジング１３は、空気開口１９を有している。空気開口１９は、入口糸ガイド１４．１と冷却体１の端面部との間の領域に形成されている。空気開口１９は、ハウジング１３の周囲において開口している。
【００４１】
冷却液の供給は、ハウジング１３の外側に配置された調量装置６によって保証される。そのために調量装置６は、例えば調量ポンプのような調量手段６．２と、冷却液によって満たされた容器６．３とを有している。調量手段６．２は、流体管路６．１を介して、冷却体の調量通路５．１に接続されている。
【００４２】
作動時に、調量装置６は、所定の量の冷却液を冷却体１に連続的に圧送し、調量された冷却液は、走入ゾーン７．１の調量開口５を介して冷却溝２に供給される。加熱された糸を冷却するために、合成糸（特にテクスチャリング加工プロセスで撚りが掛けられた糸）は、冷却溝２を通って案内される。糸は、セラミック挿入体３．１，３．２，３．３，３．４の表面において接触しながら冷却溝２を通り抜ける。このとき、液体が溝底部４．１の波形溝構造体に分配されているセラミック挿入体３．１において、糸を湿潤させる。
【００４３】
糸の冷却の際に生じる蒸気は、ハウジング１３内に集められ、吸込み開口１７を介して排出される。このとき連続した新鮮空気流が、空気開口１９を介してハウジング１３の内部に導入される。このように糸走行方向において均一な空気流が生じ、この空気流は、冷却溝２上側における蒸気の排出を促進する。さらに糸出口側で、この空気流は、冷却体１と出口糸ガイド１５．１との間を自由に案内される糸部分において、依然としてルーズに付着する残留冷却液を糸から吸い取るために使用される。そうすることによって、ハウジング１３からの残留液の漏出が回避される。
【００４４】
図３に示す実施形態において、冷却体は、種々様々な挿入体を有する、複数部材から成る構造を有している。冷却体１の構造を、挿入体によって形成された、平滑な溝底部を有する冷却溝部分が互いに接続しているようにすることも可能である。
【００４５】
図４には、本発明による冷却装置の実現可能な別の実施形態が示されている。図４に示される実施形態は、図３の実施形態と実質的に同一であるので、ここでは相違点のみを説明する。
【００４６】
図４に示す実施形態において、冷却体１は、支持体１２および複数のセラミック挿入体３．１，３．２，３．３，３．４から形成される。そのために支持体１２は、セラミック挿入体３．１〜３．４の間に配置された、冷却溝２の複数の案内部分を有している。そうすることによって、冷却溝２の平滑な溝底部４．２は、支持体１２と一体化されている。支持体１２は、例えば、セラミック挿入体３．１〜３．４が保持された、プラスチックから成る注型品または金属から成る鋳造品として形成されていてもよい。
【００４７】
図４に示す実施形態において、ハウジング１３は、その端面部に糸入口１４および糸出口１５をそれぞれ有している。このとき糸は、糸入口１４を通って、糸ガイドなしで冷却体１に直接案内される。同様に出口側では、糸出口１５に出口糸ガイドが対応配置されていない。このとき糸は、糸走入部７にセラミック挿入体３．１を介して直接案内され、糸走出部８にセラミック挿入体３．４によって案内される。
【００４８】
糸を冷却する機能は、図３に示す実施形態と同一であるので、ここではこれ以上の説明を省略する。
【００４９】
本発明による冷却装置は、多数の処理ユニットを有するテクスチャリング加工機における使用に特に適している。
【図１】
2018080435.tif 000003
【図２】
2018080435.tif 000004
【図３】
2018080435.tif 000005
【図４】
2018080435.tif 000006
【外国語明細書】
2018080435.tif 000007
2018080435.tif 000008
2018080435.tif 000009
2018080435.tif 000010
2018080435.tif 000011
2018080435.tif 000012
2018080435.tif 000013
2018080435.tif 000014
2018080435.tif 000015
2018080435.tif 000016
2018080435.tif 000017
2018080435.tif 000018
2018080435.tif 000019
2018080435.tif 000020
2018080435.tif 000021
2018080435.tif 000022
2018080435.tif 000023
2018080435.tif 000024
2018080435.tif 000025
2018080435.tif 000026